(57)【要約】【課題】互いに遠隔地に設けられている２つのファクシミリ装置間において、電話帳データ等の装置内部のデータを送信する場合、その秘匿性を維持することができるファクシミリ装置およびその制御方法を提供することを目的とするものである。【解決手段】電話帳データ等をＱＲコード化し、このＱＲコードをファクシミリの画像として送信し、受信したＱＲコードの画像を、画像読取部が読み取り、読み取ったＱＲコードを電話帳データ等に復元するファクシミリ装置である。【選択図】図２
2008109579.tif 000002
【特許請求の範囲】
【請求項１】
ファクシミリ装置において、
電話帳データを保存する電話帳データ保存手段と；
上記保存されている電話帳データを、２次元コード化する２次元コード化手段と；
上記２次元コード化された２次元コードを送信する送信手段と；
送信側から上記２次元コードを受信する受信手段と；
送信側から受信した上記２次元コードを、記録紙に記録する記録手段と；
上記記録手段が記録した上記２次元コードを、読み取る２次元コード読取手段と；
上記２次元コード読取手段が読み取った２次元コードを、電話帳データに変換する変換手段と；
上記変換手段が変換した電話帳データを上記電話帳データ保存手段に保存させる電話帳データ保存制御手段と；
を有することを特徴とするファクシミリ装置。
【請求項２】
請求項１において、
上記受信した２次元コードを、上記記録手段が記録紙に記録する前に、上記２次元コード解析手段が解析することによって、上記２次元コードに含まれている電話帳データを、上記表示手段に表示させることを特徴とするファクシミリ装置。
【請求項３】
請求項２において、
上記受信した２次元コードを、上記記録手段が記録紙に記録する前に、上記２次元コード解析手段が解析することによって、上記２次元コードに含まれている電話帳データを、上記表示手段に表示させるか、上記記録手段が記録紙に記録するか、または、上記変換された電話帳データを、上記ファクシミリ装置に蓄積されているデータベースである電話帳に登録するか、をユーザに選択させることを特徴とするファクシミリ装置。
【請求項４】
ファクシミリ装置において、
電子メールを保存する電子メール保存手段と；
上記保存されている電子メールを、２次元コード化する２次元コード化手段と；
上記２次元コード化された２次元コードを送信する送信手段と；
送信側から上記２次元コードを受信する受信手段と；
送信側から受信した上記２次元コードを、記録紙に記録する記録手段と；
上記記録手段が記録した上記２次元コードを、読み取る２次元コード読取手段と；
上記２次元コード読取手段が読み取った２次元コードを、電子メールに変換する変換手段と；
上記変換手段が変換した電子メールを上記電子メール保存手段に保存させる電子メール保存制御手段と；
を有することを特徴とするファクシミリ装置。
【請求項５】
ファクシミリ装置において、
メモ情報を保存するメモ情報保存手段と；
上記保存されているメモ情報を、２次元コード化する２次元コード化手段と；
上記２次元コード化された２次元コードを送信する送信手段と；
送信側から上記２次元コードを受信する受信手段と；
送信側から受信した上記２次元コードを、記録紙に記録する記録手段と；
上記記録手段が記録した上記２次元コードを、読み取る２次元コード読取手段と；
上記２次元コード読取手段が読み取った２次元コードを、メモ情報に変換する変換手段と；
上記変換手段が変換したメモ情報を上記メモ情報保存手段に保存させるメモ情報保存制御手段と；
を有することを特徴とするファクシミリ装置。
【請求項６】
ファクシミリ装置の制御方法において、
電話帳データを保存する電話帳データ保存工程と；
上記保存されている電話帳データを、２次元コード化する２次元コード化工程と；
上記２次元コード化された２次元コードを送信する送信工程と；
送信側から上記２次元コードを受信する受信工程と；
送信側から受信した上記２次元コードを、記録紙に記録する記録工程と；
上記記録工程で記録された上記２次元コードを、読み取る２次元コード読取工程と；
上記２次元コード読取工程で読み取られた２次元コードを、電話帳データに変換する変換工程と；
上記変換工程で変換された電話帳データを電話帳データ保存手段に保存させる電話帳データ保存制御工程と；
を有することを特徴とするファクシミリ装置の制御方法。
【発明の詳細な説明】
【技術分野】
【０００１】
本発明は、ファクシミリ装置におけるＱＲコード等の２次元コードを利用した電話帳等の情報の転送に関する。
【背景技術】
【０００２】
ＱＲコードを利用したデータ転送は、携帯電話を中心に広く利用され、携帯電話の表示部に表示されたＱＲコードを、別の携帯電話のカメラで撮像することによって、携帯電話間でデータを移動する。
【０００３】
また、書籍や雑誌等の紙媒体へＱＲコードを印刷することが広く行われ、携帯電話等のカメラ付き装置で撮像することによって、ＱＲコードに含まれている情報を取り出し、利用することも行われている。
【０００４】
これらＱＲコード関連について、ＱＲコードの基本的な読取に関して提案されている（たとえば、特許文献１、２参照）。
【０００５】
また、読取時における画像認識の問題点解決方法が知られている（たとえば、特許文献３参照）。
【特許文献１】特公昭６２−００３４７５号公報
【特許文献２】特開昭４９−１１１６６５号公報
【特許文献３】特開平０７−２３４９１５号公報
【発明の開示】
【発明が解決しようとする課題】
【０００６】
近年のファクシミリ装置は、電話機能が充実し、ユーザが登録した情報として、送信宛先や電話発呼先の電話番号を登録した電話帳データや、Ｅメールの文章のテキストデータ、ユーザの任意なテキストデータを、メモ代わりに保存することができる。
【０００７】
しかし、上記従来例では、電話帳データや、Ｅメールの文章のテキストデータ、ユーザの任意なテキストデータについて秘匿性がないという問題がある。
【０００８】
本発明は、互いに遠隔地に設けられている２つのファクシミリ装置間において、電話帳データ等の装置内部のデータを送信する場合、その秘匿性を維持することができるファクシミリ装置およびその制御方法を提供することを目的とするものである。
【課題を解決するための手段】
【０００９】
本発明は、電話帳データ等をＱＲコード化し、ファクシミリの画像として送信し、受信後の画像を、画像読取部が読み取り、読み取ったＱＲコードを電話帳データ等に復元するファクシミリ装置である。
【発明の効果】
【００１０】
本発明によれば、電話帳データ等をＱＲコード化し、ファクシミリの画像として送信し、受信後の画像を、画像読取部が読み取り、読み取ったＱＲコードを電話帳データ等に復元するので、電話帳データ等の秘匿性が高いという効果を奏する。
【発明を実施するための最良の形態】
【００１１】
発明を実施するための最良の形態は、次の実施例である。
【実施例１】
【００１２】
図１は、本発明の実施例１であるファクシミリ装置１００を示すブロック図である。
【００１３】
ファクシミリ装置１００は、ＱＲコードによる電話帳の転送機能を有する装置である。また、ファクシミリ装置１００は、ＣＰＵ１と、画像読取部２と、ＲＯＭ３と、ＲＡＭ４と、記録部５と、表示部６と、操作部７と、モデム８と、網制御ユニット９と、２次元コード解析・生成部１０とを有する。
【００１４】
ＣＰＵ１は、ファクシミリ装置１００の全体の動作を制御する。画像読取部２は、ＣＩＳ等の読取素子を含み読取同期信号を生成し、上記読取素子が出力した読取データを取得するための画像読取部である。
【００１５】
ＲＯＭ３は、ＣＰＵ１を制御するためのプログラムを格納している。ＲＡＭ４は、発信元情報、ユーザ登録情報等を記憶する他、画像読取部２が読取ったデータを一時的に確保するメモリである。
【００１６】
記録部５は、インクジェット記録等の技術によって、高解像度で記録し、ＦＡＸ受信画像等を印刷するためのプリンタユニットを含む。表示部６は、ファクシミリ装置１００の状態等を表示するＬＣＤによって構成されている。
【００１７】
操作部７は、ユーザが操作するオペレーションパネルを含む。モデム８は、画像信号、音声信号を変調する。網制御ユニット９は、電話回線とファクシミリ装置１００との接続を制御するための網制御ユニットであり、公衆回線に接続される。
【００１８】
２次元コード解析・生成部１０は、ＱＲコードを解析し、テキストデータ等の電子データに変換し、その逆に電子データをＱＲし、ＱＲコードを送信する場合と受信した場合とについて説明する。
【００１９】
図２は、実施例１の動作を示すフローチャートである。
【００２０】
Ｓ１で、ファクシミリ装置１００がスタンバイ状態であり、Ｓ２で、ＱＲコードを利用して電話帳データを送信するかどうかを判断する。ＱＲコードを利用して電話帳データを送信するのであれば、Ｓ１３に進み、ＱＲコードを利用して電話帳データを送信しないのであれば、Ｓ３へ進む。
【００２１】
説明を省略するために、以下の説明では、２つのファクシミリ装置間でやり取りするデータは、全て電話帳データであるとする。実際には、テキストデータ等、ＱＲコードによって実現可能な容量の電子データを送受信することは、原理上可能である。
【００２２】
Ｓ３で、ＱＲコードの受信画像があると判断されると、Ｓ４へ進み、ＱＲコードの受信画像が無いと判断されれば、Ｓ１に戻る。
【００２３】
Ｓ４で、受信したＱＲコード（電話帳データ）を、ファクシミリ装置１００の電話帳に追加すると判断されると、Ｓ５へ進み、ファクシミリ装置１００ではなく携帯電話等、別の装置に登録すると判断されると、Ｓ７へ進む。
【００２４】
Ｓ５で、ＦＡＸ画像として受信したＱＲコードを、判読（解読）に適した解像度、コントラスト、ドットサイズ等で印刷し、Ｓ６へ進む。
【００２５】
ＱＲコードの読取方法や読取における技術課題については、既知のものが多いので、詳細な説明は省略するが、ここで記録するＱＲコードとしては、多数の携帯電話等の撮像装置で読取が可能な解像度、コントラスト、サイズ等が、求められる。
【００２６】
Ｓ６では、Ｓ５で印刷したＱＲコードをＦＡＸ送信する場合と同様に、ファクシミリ装置１００の画像読取部２が通紙し、印刷画像を読取る。この読取後に、Ｓ１０へ進む。
【００２７】
Ｓ１０で、２次元コード解析・生成部１０が、読取ったＱＲコードに基づいて、正しい電子データとしての電話帳データが解析・抽出されると、Ｓ１１へ進む。また、携帯電話等の内部においても、２次元コード解析・生成部１０と同等の機能部が存在しているので、携帯電話等でも、上記と同様に、電話帳データが解析・抽出され、Ｓ１１へ進む。
【００２８】
ＱＲコードが汚損していることによって、正しい電子データが読めない、または読取り解析したＱＲコード内のデータが、電話帳データ、テキストデータ以外のデータであり、ファクシミリ装置１００で扱えないものである場合、ユーザにエラー通知する。そして、表示部６がエラー表示し、再読取を行うように、表示部６に表示し、案内する。エラーを回避できない（電話帳データを解析・抽出できない）場合、Ｓ１へ戻る。
【００２９】
Ｓ１１で、解析したＱＲコードに基づいて復元された電話帳データを、表示部６に表示し、ユーザの選択によって、ファクシミリ装置１００内の電話帳データに登録する。この動作は、携帯電話等でも同様に実行される。
【００３０】
Ｓ７で、ファクシミリ装置１００以外のＱＲコードを読取可能な装置（たとえば携帯電話）が、携帯電話の電話帳に登録するために、Ｓ３で受信したＱＲコード画像を読み取る場合、Ｓ８へ進み、Ｓ３で受信したＱＲコード画像を読み取らない場合、Ｓ１２へ進む。Ｓ１２では、データを破棄し、Ｓ１に戻る。
【００３１】
Ｓ８で、読み取ったＱＲコードを、受信側のファクシミリ装置１００に搭載されている表示部６（主にＬＣＤ）に表示する。この際に、印刷する場合と同様に、ＱＲコードを判読（解読）に適した解像度、コントラスト、ドットサイズ等で表示する。
【００３２】
Ｓ９では、Ｓ８で表示部６に表示したＱＲコードを、携帯電話のカメラ等の撮像手段で撮像することによって、携帯電話等の内部の電話帳に、電話帳データを取り込む準備をし、Ｓ１０へ進む。ここでは、Ｓ８で表示したデータを撮像するが、このようにする代わりに、Ｓ５で記録紙に印刷したＱＲコードを、携帯電話等の撮像手段で撮像するようにしてもよい。このようにしても、上記と同様に、携帯電話等の内部の電話帳に、電話帳データを取り込む準備ができる。
【００３３】
一方、Ｓ２でＱＲコードを送信すると判断されると、電話帳データを遠隔地のファクシミリ装置１００へデータ転送するために、Ｓ１３で、表示部６、操作部７のユーザインタフェースをユーザが操作し、電話帳データから、送信するデータを選択する。つまり、ＱＲコードで送信する電話帳データを、ユーザが選択し、「ＱＲコード送信」を行う命令を、ファクシミリ装置１００に与える。ファクシミリ装置１００の内部では、選択された電話帳データを、Ｓ１４で、２次元コード解析・生成部１０がＱＲコード化する（ＱＲコードを生成する）。
【００３４】
相手先ファクシミリ装置１００で読取できるような解像度、コントラスト、サイズ等が求められる。したがって、Ｓ１４でＱＲコードのビットマップを生成する際、相手先ファクシミリ装置１００での受信後の記録サイズを考慮し、ＱＲコードのサイズを、送信側のファクシミリ装置１００で決定する。Ｓ１５で、ＱＲコードが生成されると、これをＦＡＸ送信のための画像として変換する。
【００３５】
ＦＡＸ通信のための画像は、ＭＲ、ＭＨ、ＭＭＲ等の圧縮方式で圧縮し、送信する必要がある。Ｇ３ＦＡＸは、アナログ電話回線を利用するＦＡＸ規格の１つであり、ＣＣＩＴＴ（現在のＩＴＵ−Ｔ）が規定したＧ１〜Ｇ４のＦＡＸ規格中、最もよく使われている規格である。端末特性は、ＩＴＵ−Ｔ  Ｔ．４であり、伝送手順は、ＩＴＵ−Ｔ  Ｔ．３０である。伝送する際、画像はＭＨ符号で圧縮され、Ａ４サイズで、１枚あたり平均２０秒（２３ｃＢｅａｔ）程度で送信できるようにする。最初の規格では、信号伝送速度は９，６００ｂｐｓ（Ｖ．２９）であり、その後、通信速度は、１４４００ｂｐｓ（Ｖ．１７）に引き上げられた。
【００３６】
Ｓ１６で、ＦＡＸ通信が正常に終了すれば、Ｓ１に戻る。異常終了であれば、表示部６等で、ユーザにエラー通知し、再送信等の手順となるが、説明は省略する。エラー終了の場合も、Ｓ１に戻る。
【００３７】
上記実施例は、ファクシミリ装置に保存されている電子データを、遠隔地に設けられているファクシミリ装置に、ＱＲコードとして送信する。したがって、遠隔地に設けられているファクシミリ装置や携帯電話等にも、送信元であるファクシミリ装置が有する電子データと同一の電子データを複製・保有することができる。また、ＱＲコードとして送信するので、電話帳等の個人情報を含むデータ等がＱＲコード化され、よって、一見して判読することができず、秘匿性に優れている。
【００３８】
上記実施例は、２次元コード、一般にはＱＲコードと呼ばれるビットマップ形式のコードを利用し、ＦＡＸ通信で転送する。ＱＲコード以外の２次元コードを使用するようにしてもよい。また、２次元コードの代わりに、１次元コード（バーコードと呼ばれる方式）に、上記実施例を適用することができる。ただ、転送するデータ量に制約がある。
【００３９】
上記実施例は、ファクシミリ装置において、電話帳データを保存する電話帳データ保存手段と、上記保存されている電話帳データを、２次元コード化する２次元コード化手段と、上記２次元コード化された２次元コードを送信する送信手段とを有する。また、上記実施例は、送信側から上記２次元コードを受信する受信手段と、送信側から受信した上記２次元コードを、記録紙に記録する記録手段と、上記記録手段が記録した上記２次元コードを、読み取る２次元コード読取手段とを有する。さらに、上記実施例は、上記２次元コード読取手段が読み取った２次元コードを、電話帳データに変換する変換手段と、上記変換手段が変換した電話帳データを上記電話帳データ保存手段に保存させる電話帳データ保存制御手段とを有する。
【００４０】
この場合、上記受信した２次元コードを、上記記録手段が記録紙に記録する前に、上記２次元コード解析手段が解析することによって、上記２次元コードに含まれている電話帳データを、上記表示手段に表示させるようにしてもよい。
【００４１】
また、上記受信した２次元コードを、上記記録手段が記録紙に記録する前に、上記２次元コード解析手段が解析することによって、上記２次元コードに含まれている電話帳データを、上記表示手段に表示させるかどうかを、ユーザに選択させるようにしてもよい。また、上記記録手段が記録紙に記録するか、または、上記変換された電話帳データを、上記ファクシミリ装置に蓄積されているデータベースである電話帳に登録するか、をユーザに選択させるようにしてもよい。
【００４２】
さらに、上記の場合、電話帳データの代わりに、電子メールまたはメモ情報を使用するようにしてもよい。
【図面の簡単な説明】
【００４３】
【図１】本発明の実施例１であるファクシミリ装置１００のブロック図である。
【図２】実施例１の動作を示すフローチャートである。
【符号の説明】
【００４４】
１００…ファクシミリ装置、
１…ＣＰＵ、
２…画像読取部、
３…ＲＯＭ、
４…ＲＡＭ、
５…記録部、
６…表示部、
７…操作部、
８…モデム、
９…網制御ユニット、
１０…２次元コード解析・生成部。
【図１】
2008109579.tif 000003
【図２】
2008109579.tif 000004